(57)【要約】【課題】手で振る度に軽快な音を発し、歩行等の際に持ち歩いて愉しむことができ、かつ、護身具としても兼用できる玩具を提供する。【解決手段】図示の護身兼用玩具は、ラバー３を握って前端部を下方へ強く振ると、筒体１の前端部近傍に形成された開孔６および７を経て筒体１内に空気が流入することにより、鳴音を発する。各開孔の上側側壁は、筒体の内側面に対してほぼ接平面を構成し、下側側壁は、空気が流入しやすいように、上側側壁よりもより鉛直に近い傾きを備えている。なお、５は開口、２は補強用金属製リングである。【選択図】図１
0003111323.tif 000002
【実用新案登録請求の範囲】
【請求項１】
数十センチの全長を有するとともに、片手で握ることが可能な直径を有する筒体から成る護身兼用玩具において、
前記筒体は、開口に形成された前端部と閉成された後端部を備えるとともに、筒体の中心軸に平行な少なくも数センチの長辺を有する縦長の開孔を筒体の前端部近傍に備え、
更に、
該開孔の内側面は、前記中心軸に平行な２つの側壁を有し、
かつ、
該２つの側壁のうち、
一方の側壁は、
前記中心軸を含む水平面と筒体の外側面との交線を含み、かつ、筒体の内側面に対してほぼ接するように該交線から前記水平面に対して角度αを成して上方へ伸びる平面を構成するとともに、
他方の側壁は、
前記水平面と筒体の内側面との交線を含み、かつ、該交線から前記水平面に対して角度βを成して下方へ伸びる平面を構成し、
かつ、
前記角度βは、前記角度αよりも大きく設定されていることを特徴とする護身兼用玩具。
【請求項２】
請求項１に記載の護身兼用玩具において、前記開孔は、筒体の長手方向に１列に複数個形成されていることを特徴とする護身兼用玩具。
【請求項３】
請求項２記載の護身兼用玩具において、前記筒体に形成された複数個の開孔の筒体の長手方向のそれぞれの寸法は、筒体の前端部に最も近接して形成された開孔の寸法が最も大きいことを特徴とする護身兼用玩具。
【請求項４】
請求項１、２または３に記載の護身兼用玩具において、
前記中心軸を通り、かつ、前記水平面に対して垂直な平面と、前記外側面との交線の位置に、指示マークを備えていることを特徴とする護身兼用玩具。
【請求項５】
請求項１、２、３または４に記載の護身兼用玩具において、前記筒体の前端部近傍の外側面には金属製リングが取り付けられていることを特徴とする護身兼用玩具。
【請求項６】
請求項１、２、３、４または５に記載の護身兼用玩具において、前記筒体は竹製であることを特徴とする護身兼用玩具。
【請求項７】
請求項１、２、３、４又は５に記載の護身兼用玩具において、前記筒体は合成樹脂製であることを特徴とする護身兼用玩具。
【考案の詳細な説明】
【技術分野】
【０００１】
本考案は、音の出る玩具に関し、特に、護身具としても兼用できる玩具に関する。
【背景技術】
【０００２】
現代は、健康志向の高まりから自主的に運動に勤しむ人が増えており、例えば、早朝或るいは夕刻にウオーキングや散歩をする人も少なくない。ところで、このような歩行のみを目的として歩く場合であっても、何も持たずに歩くのは手持ち無沙汰の感がある。そして、大人が歩行時に携行するのに手ごろな玩具は未だ知られていない。
【０００３】
一方、現在の日本は、社会のセキュリティーが著しく低下しており、例えば、平時の歩行中に凶悪事件に遭遇することも稀ではない。そして、このような危険に備える道具としては、護身用のベルなどが知られているが、この護身用ベルは、通常、かなり小型であり衣服のポケット等に入れて持ち運びされる。
【０００４】
従って、前述の散歩・ウーキングにおいて、このような護身用ベルを携帯しても、前述のような手持ち無沙汰の感じを解消することはできない。ウーキング等の際に護身用として警棒のようなものを持ち歩くことも考えられないではないが、これでは、傍目に殺伐としており、感じの良いものではない。
【考案の開示】
【考案が解決しようとする課題】
【０００５】
本考案は、散歩等の際に手に持って愉しむことのできる玩具を提供するものであり、更に、護身具としても役立つ玩具を提供するものである。
【課題を解決するための手段】
【０００６】
本考案は、開口構造の前端と閉成構造の後端を持つ数十センチの全長を有する筒体の前端部近傍に、筒体の中心軸に平行な少なくも数センチの長辺を有する縦長の開孔を備え、該開孔の２つの側壁のうち、一方の側壁は、筒体の中心軸を含む水平面と筒体の外側面との交線を含み、かつ、筒体の内側面に対してほぼ接するように該交線から前記水平面に対して角度αを成して上方へ伸びる平面を構成するとともに、他方の側壁は、前記水平面と筒体の内側面との交線を含み、かつ、該交線から前記水平面に対して角度βを成して下方へ伸びる平面を構成し、かつ、前記角度βは、前記角度αよりも大きく設定されていることを最も主要な特徴とする。
【考案の効果】
【０００７】
本考案の玩具は、所定の方向へ振ることにより鳴音を発し、散歩等の際にこれを持ち歩いて愉しむことができるほか、暴漢等に対する護身具としても兼用できる、という利点を有する。
【考案を実施するための最良の形態】
【０００８】
片手で振るのに手ごろな筒体の前端部付近に、筒体の長手方向に細長い開孔を設け、ウーキング等の際に、この筒体を所定方向に振ると鳴音が発生するように構成することにより、ウーキング時等の所在無さを解消するとともに、暴漢等に対する護身具としても兼用できるという目的を実現した。
【実施例１】
【０００９】
本考案に基づく玩具の１実施例を斜め下方より見た斜視図を図１に示す。この図において、１は、かかる実施例の本体部分を構成する合成樹脂製の筒体である。２は、筒体１の前端部に近接して取り付けられた補強用の金属製リングである。３は、筒体１の後部に貼付されたラバーであり、グリップ部を構成している。また、５は、前端部の開口、６および７は、筒体１の側面に形成された開孔である。
【００１０】
上記実施例の正面図を図２の（イ）に示す。なお、この正面図における４は、筒体１の後端部である。本実施例を真上から見た平面図を図２の（ロ）に示す。この平面図に示されている直線８は、筒体の頂上部分であることを表す指示マークである。本実施例の左側面図を図３に大きく拡大して示す。また、本実施例の底面図を図４の（イ）に、前記正面図におけるＧ−Ｈ断面図を図４の（ロ）に示す。なお、この断面図に示されるように、筒体１の後端部４は閉成された構造をしている。
【００１１】
なお、以上に示した実施例における各部分の寸法について説明すると、図３に示される、筒体を構成する合成樹脂の厚みＤは４ミリメートル、筒体の外側の直径の寸法Ｒは２２ミリメートルである。また、図４の（イ）において、筒体の全長Ｌは４００ミリメートル、開孔の長手方向の寸法Ｓ１およびＳ２は、それぞれ６５ミリメートルおよび４０ミリメートル、開孔６と７との間の間隔Ｓ３は１０ミリメートル、ラバーの幅Ｔは１８０ミリメートルである。
そして、図５に示すように、前記の指示マーク８が真上になるようにしてグリップ部を握り、この状態で前端部を強く下方へ振ると、開孔６および７から筒体内へ流入する空気により、「ヒュッ」という笛のような鳴音を生じる。
【００１２】
次に、上記の開孔６および７の構造について詳細に説明する。
図２の正面図におけるＡ−Ｂ断面の拡大図を図６に示す（なお、Ｃ−Ｄ断面図は、Ａ−Ｂ断面図と同じ構造をしているので、図示及び説明を省略する）。この断面図において、開孔６の側壁Ａ１は、筒体１の中心軸Ｏから伸びる水平面Ｈと筒体１の外側面Ｇとの交線Ｋを含み、かつ、筒体１の内側面Ｎにほぼ接するように、水平面Ｈに対して角度αを成す平面上に存在する。
【００１３】
一方、開孔６の側壁Ａ２は、水平面Ｈと筒体１の内側面Ｎとの交線Ｆから、この図に示されるような角度βを成して筒体１の外側面Ｇへ向けて形成された平面上にある。そして、この図から明らかなように、角度βを角度αよりも大きく設定しているので、筒体の外側面の開孔サイズｄも大きくなる。（なお、本願においては特許請求の範囲の記載も含めて、開孔の側壁Ａ１と筒体の中心軸を含む水平面との成す角度α、及び開孔の側壁Ａ２と筒体の中心軸を含む水平面との成す角度βを、図６に示されるように定義する。）
【００１４】
これにより、前述の指示マークが真上になるようにしてグリップ部を握り、この図の→Ｑに示されるように真下の方向へ向けて筒体を強く振ると、図示の如く→Ｐで表されている空気流が効率的に生じ、「ヒュッ」という鳴音が発生する。
以上の説明からも分かるように、本実施例の玩具を振って音を鳴らすためには、筒体の指示マークと筒体の中心軸とを含む平面内で玩具を振る必要がある。そして、玩具を振る方向がこの方向から少しでも外れると、鳴音が急速に小さくなる特性を持っている。
【００１５】
参考までに、上記の開孔６および７の構造をより明瞭に示すために、図２におけるＥ−Ｆ断面の拡大図を図７の（イ）に、また、図２におけるＧ−Ｊ断面の拡大図を図７の（ロ）に示す。更に、本実施例を、その中心軸を通る水平面で切断したときの下部構造の前方部分を斜め上方から見た斜視図を図８に、同じく上部構造の前方部分を斜め下方から見た斜視図を図９に示す。
【００１６】
以上に説明した実施例では、、筒体の素材として合成樹脂を用いているが、このような素材に限ることなく、木、竹、金属、或いはカーボンファイバー等を素材として用いてもよい。参考までに、竹を用いて本実施例を構成した場合の１例を図１０に示す。この図において、（イ）は、正面図を示し、（ロ）は、正面図におけるＫ−Ｌ断面図を示す。なお、この実施例では、グリップ部のラバーを省略した構造を採用している。
【００１７】
以上の説明から分かるように、本実施例の玩具は、手で持ち運ぶのに手ごろな大きさであり、また、バッグ等に入れて持ち運ぶにも便利である。そして、玩具の先端部を正しい方向へ振れば、その度に笛の音に似た「ヒュッ」という軽快な音を発する。従って、歩行に合わせて手首のスナップで玩具を振れば、その都度、軽快な音が発せられるので、歩行のリズムをとりやすい。
【００１８】
また、この玩具の前端部には、補強用の金属製リングが取り付けられているので、万一、暴漢に遭遇した場合には、これに対抗する護身具として活用でき、極めて実用的である。なお、本件玩具は、歩行中に限ることなく、普通に立った状態でも、狭い部屋に座った状態でも愉しむことができる。
【実施例２】
【００１９】
以上に説明した実施例では、筒体の側面に２つの開孔を設けているが、開孔を１つだけ設ける構成とすることもできる。この場合の実施例を図１１に示す。この実施例では、開孔１３の長さは、実施例１における開孔６および７の長さを合わせた凡そ１０５ミリメートル程度の長さに設定されており、これにより、実施例１の場合と同程度の大きさの鳴音が得られるようにしている。
【実施例３】
【００２０】
次に、開孔を３個設ける構成とした場合の実施例について説明する。
この場合の実施例を図１２に示す。この実施例では、開孔１７、１８、１９の長さは、いずれも３５ミリメートルであり、これらの長さの総和は、実施例１の開孔６および７の長さを合わせた１０５ミリメートルにほぼ等しくなるように設定している。なお、開孔１５、１６、１７の順に長さがより長くなるように長さにグレーディングを付けてもよく、その場合には、より大きな鳴音が得られる。
【００２１】
以上、本考案による各種の実施例について説明したが、本考案は、勿論、これらの実施例に限定されるものではなく、本考案の技術思想に基づき、様々な構造の改変が可能である。例えば、開孔を形成する位置としては、以上に説明した各実施例の開孔の設けられた位置に代え、これと左右対称な位置(図６において、Ｍで示されている位置)を選んでもよい。
【００２２】
また、筒体の前端部近傍に取り付けた補強用金属製リングについては、筒体を金属製とした場合には省略することができ、また、それ以外の素材で筒体を構成した場合であっても、多少強度を犠牲にしてもよければ、これを省略してもよい。グリップ部のラバーについても、これを省略可能であることは勿論である。更に、筒体の全長は、実施例では４０ミリメートルに設定しているが、これに限ることなく、５０ミリメートル或いは６０ミリメートルというようにサイズを変更してもよい。
【００２３】
また、筒体の直径Ｒおよび厚みＤについても、実施例の数値に限定する必要はなく、この数値に多少の増減を加えても、十分な性能が得られる。特に、直径Ｒについては、片手で容易に握れる程度の手ごろな太さであればよい。更に、開孔の筒体長手方向の長さについても、前述のような値に限ることはなく、筒体の強度等を考慮して、適当に設定すればよい。
【産業上の利用可能性】
【００２４】
筒体を所定の方向に振るだけで簡単に鳴音を発することができ、散歩等の際に歩きながら愉しむことができる。また、暴漢に遭遇した場合の護身用具としても利用できる。
【図面の簡単な説明】
【００２５】
【図１】護身兼用玩具の斜視図である。（実施例１）
【図２】護身兼用玩具の正面図および平面図である。（実施例１）
【図３】護身兼用玩具の左側面図の拡大図である。（実施例１）
【図４】護身兼用玩具の底面図および断面図である。（実施例１）
【図５】護身兼用玩具の使用方法の説明図である。（実施例１）
【図６】護身兼用玩具の開孔を、中心軸に垂直に切断したときの断面図の拡大図である。（実施例１）
【図７】護身兼用玩具の開孔を、中心軸を通る水平面で切断したときの断面図の拡大斜視図である。（実施例１）
【図８】護身兼用玩具の開孔を、中心軸を通る水平面で切断したときの下部構造の斜視図である。（実施例１）
【図９】護身兼用玩具の開孔を、中心軸を通る水平面で切断したときの上部構造の斜視図である。（実施例１）
【図１０】護身兼用玩具の筒体を竹製としたときの正面図および断面図である。（実施例１）
【図１１】護身兼用玩具の斜視図である。（実施例２）
【図１２】護身兼用玩具の斜視図である。（実施例３）
【符号の説明】
【００２６】
１，１０，１４            筒体
２，１１，１５            金属製リング
３，１２，１６            ラバー
４                        筒体後端部
５                        前端部開口
６，７，１３，１７〜１９  開孔
８                        指示マーク
【図１】
0003111323.tif 000003
【図２】
0003111323.tif 000004
【図３】
0003111323.tif 000005
【図４】
0003111323.tif 000006
【図５】
0003111323.tif 000007
【図６】
0003111323.tif 000008
【図７】
0003111323.tif 000009
【図８】
0003111323.tif 000010
【図９】
0003111323.tif 000011
【図１０】
0003111323.tif 000012
【図１１】
0003111323.tif 000013
【図１２】
0003111323.tif 000014
【手続補正書】
【提出日】平成17年4月21日(2005.4.21)
【手続補正１】
【補正対象書類名】明細書
【補正対象項目名】０００２
【補正方法】変更
【補正の内容】
【０００２】
現代は、健康志向の高まりから自主的に運動に勤しむ人が増えており、例えば、早朝或るいは夕刻にウォーキングや散歩をする人も少なくない。ところで、このような歩行のみを目的として歩く場合であっても、何も持たずに歩くのは手持ち無沙汰の感がある。そして、大人が歩行時に携行するのに手ごろな玩具は未だ知られていない。
【手続補正２】
【補正対象書類名】明細書
【補正対象項目名】０００４
【補正方法】変更
【補正の内容】
【０００４】
従って、前述の散歩・ウォーキングにおいて、このような護身用ベルを携帯しても、前述のような手持ち無沙汰の感じを解消することはできない。ウォーキング等の際に護身用として警棒のようなものを持ち歩くことも考えられないではないが、これでは、傍目に殺伐としており、感じの良いものではない。
【手続補正３】
【補正対象書類名】明細書
【補正対象項目名】０００８
【補正方法】変更
【補正の内容】
【０００８】
片手で振るのに手ごろな筒体の前端部付近に、筒体の長手方向に細長い開孔を設け、ウォーキング等の際に、この筒体を所定方向に振ると鳴音が発生するように構成することにより、ウォーキング時等の所在無さを解消するとともに、暴漢等に対する護身具としても兼用できるという目的を実現した。